(57)【要約】【課題】  高速印字の機能を損なわず、また実際の印字を伴わず簡単な操作でカウント値の表示を行い、印字内容確認を容易にするインクジェット記録装置を提供する。【解決手段】  ノズルが備わり、被印字物に印字内容を印字するインクを噴出するインクジェット記録装置において、インクジェット記録装置は表示装置を有し、前記表示装置にて印字内容を表示できる機能を有するものにおいて、前記インクジェット記録装置は印字開始指示を認識しても被印字物には印字を行わず、表示装置へ印字結果を表示する【選択図】  図６
2009179024.tif 000002
【特許請求の範囲】
【請求項１】
インク粒子を噴出するノズル本体と、噴出されたインク粒子に文字や図形等の文字信号を帯電させる帯電電極と、帯電されたインク粒子を偏向させるための偏向電極と、を備えるインクジェット記録装置において、
印字内容を表示できる機能を有する表示装置を有し、印字開始指示を認識しても被印字物には印字を行わず、表示装置へ印字結果を表示することを特徴とするインクジェット記録装置。
【請求項２】
請求項１に記載のインクジェット記録装置において、
前記インクジェット記録装置にて印字を行うたびに一定の数値を加減するカウント機能を有することを特徴とするインクジェット記録装置。
【発明の詳細な説明】
【技術分野】
【０００１】
本発明は、生産ラインで搬送される製品（被印字物）にノズルより噴出するインクで、文字、数字、記号、図形、バーコード等を印字するインクジェット記録装置に関する。
【背景技術】
【０００２】
高速印字が可能なインクジェット記録装置の場合、複数個のＣＰＵで制御することが多い。
【０００３】
【特許文献１】特開昭６２−３７１６５号公報
【発明の開示】
【発明が解決しようとする課題】
【０００４】
高速印字対応のため複数個のＣＰＵを使用する場合、入力、表示等のユーザーインターフェースを制御するＣＰＵと、インクジェット記録装置用データ作成、インク粒子作成等の印字を制御するＣＰＵは別個のものとなることが多い。この場合、印字を行うたびに一定の数値を加減するカウント機能は後者のＣＰＵにて実行する。これはインクジェット用記録用データ作成の際、即座に更新されたカウント値を反映できるためである。このためカウント機能の動作を確認するためには実際の印字を行わなければならない。
【０００５】
本発明の目的は、高速印字の機能を損なわず、また実際の印字を伴わず簡単な操作でカウント値の表示を行い、印字内容確認を容易にするところにある。
【課題を解決するための手段】
【０００６】
上記課題を解決するため、例えば、ノズルが備わり、被印字物に印字内容を印字するインクを噴出するインクジェット記録装置において、インクジェット記録装置は表示装置を有し、前記表示装置にて印字内容を表示できる機能を有するものにおいて、前記インクジェット記録装置は印字開始指示を認識しても被印字物には印字を行わず、表示装置へ印字結果を表示するという構成をとる。
【発明の効果】
【０００７】
高速印字の機能を損なわず、また実際の印字を伴わず簡単な操作でカウント値の表示を行い、印字内容確認を容易にする。
【発明を実施するための最良の形態】
【０００８】
以下、本発明の実施形態を示す図面に沿って本発明を詳しく説明する。
【０００９】
図１は、本発明の実施形態に係るインクジェット記録装置の全体ブロック図である。図２は、本発明の実施形態に係るインクジェット記録装置の主要部を概略的に示す図である。
【００１０】
まず、インクジェット記録装置の主要部に係る説明からする。ノズル１にてインクを粒子化するための励振電圧を印加することにより、図２に示すように、ノズル１はインク粒子を噴出する。噴出されたインク粒子は、飛行して搬送ラインのベルト２に載って流れる被印字物３に印字される。ノズル１よりインク粒子を噴出するタイミングは印字物検出センサー４および印字物検知部５により制御される。インク粒子が帯電電極６はノズル１の直ぐ先に備えられ、ノズル１から噴出したインク粒子に電荷を帯びさせる。帯電電極６に印加される電圧は文字信号発生部７によって印字内容に応じて調整される。電荷を帯びたインク粒子は帯電電極６の直ぐ先に備えられる偏向電極８でインク粒子毎に飛行方向が偏向されるので、被印字物３にインク粒子の文字ないし記号等が印字されるのである。
【００１１】
ノズル１にはインク容器９内のインクがインク供給管１０を通じて供給ポンプ２０により送られるのである。ノズル１から噴出されたインク粒子で印字に使われないものは、ガター２１に受けられ、回収管２２を通じて回収ポンプ２３によりインク容器９に戻されるのである。
【００１２】
図１に示すように、印字物検知部５、文字信号発生部７、入力部４０、表示部５０、印字内容反映部６０は制御部３０に接続される。入力部４０においてオペレータの所望する印字内容を入力し、制御部３０にて一時保持する。また、入力内容の確認のため、表示部５０にて入力内容を表示する。印字内容を印字内容反映部６０によりインク粒子毎のデータに変換、印字内容記憶部６１に保持する。印字内容記憶部６１は文字信号発生部７と接続している。
【００１３】
印字物検知部５から被印字物３の到来の信号が制御部３０に入ると、制御部３０は文字信号発生部７に対して印字を指示する。文字信号発生部７は印字内容記憶部６１の印字データに基づいて帯電電極６の印加電圧を加減する。こうして上記の如くインク粒子が飛行、偏向し印字が行われるのである。
【００１４】
また、インクジェット記録装置の制御部３０のうち、主ＣＰＵ３１は図２において示される、印字内容をインク粒子にて表現するための処理を制御するものである。また、副ＣＰＵ３２はマンマシンインターフェースである入力部４０、表示部５０を制御するものである。主ＣＰＵ３１と副ＣＰＵ３２間はケーブルで接続されており、あらかじめ２つのＣＰＵ間で決められた通信手順にしたがいデータのやりとりを行う。
【００１５】
なお、ＣＰＵは数値しか扱えないため文字、記号はあらかじめ対応付けした数値で処理を行う。このため、文字、記号に関しても対応付けした数値に対してカウント機能を用いることで文字、記号も更新された数値に対応するものに変化する。この文字、記号と数値の対応付けの一つにJIS X 0208がある。あるいはインクジェット記録装置が独自に対応付けをしてもよい。
【００１６】
しかし算用数字以外で加減算を行った場合、その結果が一目で正しいものであるか確認することは難しい。図３は実施例として本発明の実施形態に係るインクジェット記録装置におけるユーザー定義パターンのコード変換テーブルであるが、カウント機能の条件として１回の印字を行うと値を＋１するとしていた場合、コード01「▲」を印字すると次はコード02「●」となる。さらに印字を行うとコード03「★」となる。これらはＣＰＵにおいては意味ある数値のつながりであるが、これを参照する人間にとって「▲」の次は「●」などとは、変換テーブルを理解していないと意味不明なつながりである。
【００１７】
このため入力したカウント機能の条件と、実際の印字結果が一致しているか確認を行う際、搬送ラインのベルト２の試験運転が困難な場合、または被印字物３、あるいはその代替物の用意が困難な場合など、必ずしも印字確認を行えるとは限らない。この場合、実際の印字を行わず表示部５０において印字内容を確認する機能が極めて有効となる。
【００１８】
前記の解決手段として、主ＣＰＵ３１において、副ＣＰＵ３２からカウント更新指示、およびその更新結果を副ＣＰＵ３２に返す通信規格を備えることにより前記目的を達成することが可能となる。
【００１９】
図４および図５は、本発明の実施形態に係るインクジェット記録装置におけるマンマシンインターフェースたる表示部の一例である。また、図６は本発明形態に係るインクジェット記録装置における仮想印字ボタンが押された際のフローチャートである。
【００２０】
図４における印字内容表示部４０１ａはカウント機能を用いている部分である。本実施例では図３のユーザー定義パターンを用いている。カウント機能の条件として１回の印字を行うと値を＋１する。この値は印字が行われるたびに更新されるが、本実施例においては供給ポンプ２０が稼動しておらずインク粒子がノズル１から噴出していない状態、つまり印字物検出センサー４が被印字物３を検出しても印字が行われない状態とする。
【００２１】
表示部４０に仮想印字ボタン４０２を表示する。この画面上の仮想印字ボタン４０２を押すことで入力部４０が検知する。副ＣＰＵ３２は入力部４０から仮想印字ボタン４０２が押されたという情報を取得する。処理ステップ６０１にて副ＣＰＵ３２は主ＣＰＵ３１に対してカウント更新指示を出す。
【００２２】
処理ステップ６０２にて主ＣＰＵ３１は副ＣＰＵ３２からのカウント更新指示を受信、処理ステップ６０３にて現在のカウント値に１を加算し、その結果を処理ステップ６０４にて副ＣＰＵ３１に返す。処理ステップ６０５にて副ＣＰＵ３１は受信した結果を基に表示部４０に表示、図５における印字内容表示部４０１ｂの数値に更新される。これにより実際の印字は行わず印字結果を容易に確認することが可能となるのである。
【００２３】
なお、ボタン「仮想印字」は本実施例説明のために用いた言葉であり、印字を行わずカウント機能を動作させるためのトリガーとなることが容易に理解できる言葉、あるいは図形であれば「仮想印字」にこだわるものではない。
【００２４】
また、上記の実施形態ではコンティニュアス方式のインクジェット記録装置につき説明したが、ドロップ・オンデマンド方式のインクジェット記録装置でも同様に可能である。
【図面の簡単な説明】
【００２５】
【図１】本発明の一実施形態に係るインクジェット記録装置の全体ブロック図である。
【図２】本発明の一実施形態に係るインクジェット記録装置の主要部を示す概略図である。
【図３】本発明の一実施形態に係るインクジェット記録装置におけるユーザー定義パターンのコード変換テーブルである。
【図４】本発明のー実施形態に係るインクジェット記録装置における表示内容の一例である。
【図５】本発明のー実施形態に係るインクジェット記録装置における表示内容の一例である。
【図６】本発明のー実施形態に係るインクジェット記録装置にフローチャートである。
【符号の説明】
【００２６】
１…ノズル、２…ベルト、３…被印字物、５…印字物検知部、６…帯電電極、７…文字信号発生部、８…偏向電極、９…インク容器、１０…インク供給管、２０…供給ポンプ、２１…ガター、２２…回収管、２３…回収ポンプ、３０…制御部、３１…主ＣＰＵ、３２…副ＣＰＵ、４０…入力部、５０…表示部、６０…印字内容反映部、６１…印字内容記憶部、４０１ａ…印字内容表示部、４０１ｂ…印字内容表示部、仮想印字ボタン、６０１〜６０５…各処理ステップ
【図１】
2009179024.tif 000003
【図２】
2009179024.tif 000004
【図３】
2009179024.tif 000005
【図４】
2009179024.tif 000006
【図５】
2009179024.tif 000007
【図６】
2009179024.tif 000008